(57)【要約】【課題】例え小型化しても容易にクリック数を増加することができ、且つ確実なクリック感覚が得られるクリック機構を提供する。【解決手段】弾接部２４ａ，２４ｂを備えたクリックバネ２２と、弾接部２４ａ，２４ｂが係合する溝部３３を備えた凹凸部３５を具備するつまみ３０とからなり、クリックバネ２２とつまみ３０とを相対的に回転移動させたときに、弾接部２４ａ，２４ｂが溝部３３に係合・離脱を繰り返すことで、クリック感覚が生じる構造のクリック機構である。第１の弾接部２４ａが溝部３３のいずれかに係合してから次の溝部３３に係合するまでの非係合状態の間に、第二の弾接部２４ｂが溝部３３のいずれかに係合するように構成する。【選択図】図２
2005078844.tif 000002
【特許請求の範囲】
【請求項１】
弾接部を設けた第一の部材と、
前記弾接部が係合するクリック係合部を設けた第二の部材とを具備し、
前記第一の部材と前記第二の部材が相対的に移動することで前記弾接部が前記クリック係合部に係合・離脱を繰り返してクリック感覚を生じるクリック機構において、
前記第一の部材に設けた弾接部と前記第二の部材に設けたクリック係合部とをいずれも複数設け、
且つこれら複数の弾接部とクリック係合部は、弾接部のいずれかが前記クリック係合部のいずれかに係合してから次のクリック係合部に係合するまでの非係合状態の間に、他のいずれかの弾接部がクリック係合部のいずれかに係合する位置に設置されていることを特徴とするクリック機構。
【請求項２】
複数の弾接部を設けた第一の部材と、
前記弾接部が係合する複数のクリック係合部を、隣り合うクリック係合部を中心軸から見た場合、各クリック係合部間がなす各中心角が互いに等しくなる同一円周上の位置に設けた第二の部材とを具備し、
前記第一の部材と前記第二の部材が前記中心軸周りで相対的に回転することで前記弾接部が前記クリック係合部に係合・離脱を繰り返してクリック感覚を生じるクリック機構において、
前記クリック係合部の数をｎとしたとき、
前記弾接部が２個の場合には、第一の弾接部を設ける位置と第二の弾接部を設ける位置とのなす前記中心軸から見た中心角の値が（１８０＋１８０／ｎ）°であり、
前記弾接部が３個の場合には、第一の弾接部を設ける位置と第二の弾接部を設ける位置とのなす中心角の値、及び第二の弾接部を設ける位置と第三の弾接部を設ける位置とのなす中心角の値が共に（１２０＋１２０／ｎ）°であり、
前記弾接部が４個の場合には、第一の弾接部を設ける位置と第二の弾接部を設ける位置とのなす中心角、及び第二の弾接部を設ける位置と第三の弾接部を設ける位置とのなす中心角、及び第三の弾接部を設ける位置と第四の弾接部を設ける位置とのなす中心角の値が共に（９０＋９０／ｎ）°であることを特徴とするクリック機構。
【発明の詳細な説明】
【技術分野】
【０００１】
本発明は、回転式電子部品やスライド式電子部品等に用いられるクリック機構に関するものである。
【背景技術】
【０００２】
従来、例えば回転式スイッチ等の回転式電子部品において、特許文献１に示すように、回転つまみを回転したときに、その回転に応じてクリック感覚を生じさせるためのクリック機構を設けることがある。図７はこの種従来のクリック機構の一例の基本構成を示す図である。同図に示すようにこのクリック機構は、円板状の回転部材１２０の上部に、図示しない他の部材に固定されたリング状のクリックバネ１１０を設置し、その際回転部材１２０にリング状に設けた凹凸部１２３をクリックバネ１１０に設けた弾接部１１２に弾接させ、クリックバネ１１０に対して回転部材１２０を回転することで、弾接部１１２を前記凹凸部１２３を構成する溝部１２１と凸部１２２に交互に係合させ、これによってクリック感覚が連続して生じていくようにしている。
【０００３】
そして上記構成のクリック機構では、弾接部１１２が溝部１２１に係合する毎に一回のクリック感覚を生じるため、例えば回転部材１２０を所定角度回転した際にクリック感覚を生じる回数（以下「クリック数」という）は、回転部材１２０に設けた凹凸部１２３の数によって決まり、そのためクリック数を増やす場合は、回転部材１２０の凹凸部１２３の数を増やす必要があった。
【０００４】
また従来、例えば特許文献２の図６に示すように、リング状のクリックバネの１８０°対向する位置に２個の弾接部を設けたものもあるが、このクリック機構においても、クリックバネの２個の弾接部が、クリック板の係合穴に同時に係合するので、クリック数を増やす場合は、上記の場合と同様に、回転部材の凹凸部の数を増やす必要があった。
【０００５】
しかしながら、上記図７に示す構成のクリック機構を搭載した回転式電子部品の小型化等の要求に伴って回転部材１２０が小型化された場合、凹凸部１２３の数を増加することは困難となっていた。また例え凹凸部１２３の数を増加することができたとしても、こんどは各溝部１２１の幅寸法が小さくなってしまい、弾接部１１２が係合する際に溝部１２１内に十分に落ち込むことができず、しっかりとしたクリック感覚が生じなくなってしまうという問題点もあった。
【特許文献１】特開２００３−１２３５９０号公報
【特許文献２】特開２００２−９３２７９号公報
【発明の開示】
【発明が解決しようとする課題】
【０００６】
本発明は上述の点に鑑みてなされたものでありその目的は、例え小型化しても容易にクリック数を増加することができ、且つ確実なクリック感覚が得られるクリック機構を提供することにある。
【課題を解決するための手段】
【０００７】
本願の請求項１に記載の発明は、弾接部を設けた第一の部材と、前記弾接部が係合するクリック係合部を設けた第二の部材とを具備し、前記第一の部材と前記第二の部材が相対的に移動することで前記弾接部が前記クリック係合部に係合・離脱を繰り返してクリック感覚を生じるクリック機構において、前記第一の部材に設けた弾接部と前記第二の部材に設けたクリック係合部とをいずれも複数設け、且つこれら複数の弾接部とクリック係合部は、弾接部のいずれかが前記クリック係合部のいずれかに係合してから次のクリック係合部に係合するまでの非係合状態の間に、他のいずれかの弾接部がクリック係合部のいずれかに係合する位置に設置されていることを特徴とするクリック機構にある。
【０００８】
また請求項２に記載の発明は、複数の弾接部を設けた第一の部材と、前記弾接部が係合する複数のクリック係合部を、隣り合うクリック係合部を中心軸から見た場合、各クリック係合部間がなす各中心角が互いに等しくなる同一円周上の位置に設けた第二の部材とを具備し、前記第一の部材と前記第二の部材が前記中心軸周りで相対的に回転することで前記弾接部が前記クリック係合部に係合・離脱を繰り返してクリック感覚を生じるクリック機構において、前記クリック係合部の数をｎとしたとき、前記弾接部が２個の場合には、第一の弾接部を設ける位置と第二の弾接部を設ける位置とのなす前記中心軸から見た中心角の値が（１８０＋１８０／ｎ）°であり、前記弾接部が３個の場合には、第一の弾接部を設ける位置と第二の弾接部を設ける位置とのなす中心角の値、及び第二の弾接部を設ける位置と第三の弾接部を設ける位置とのなす中心角の値が共に（１２０＋１２０／ｎ）°であり、前記弾接部が４個の場合には、第一の弾接部を設ける位置と第二の弾接部を設ける位置とのなす中心角、及び第二の弾接部を設ける位置と第三の弾接部を設ける位置とのなす中心角、及び第三の弾接部を設ける位置と第四の弾接部を設ける位置とのなす中心角の値が共に（９０＋９０／ｎ）°であることを特徴とする。
【０００９】
ここで、中心角とは、中心軸と２個の弾接部を設ける位置とを結んだ２本の線のなす内角を示す。請求項３に記載の発明の具体例を示すと、クリック係合部の数を例えば１２個（ｎ＝１２）としたとき、弾接部が２個の場合には、第一の弾接部を設ける位置と第二の弾接部を設ける位置とのなす中心角の値が１９５°となり、弾接部が３個の場合には、第一の弾接部を設ける位置と第二の弾接部を設ける位置とのなす中心角の値、及び第二の弾接部を設ける位置と第三の弾接部を設ける位置とのなす中心角の値が共に１３０°となり、弾接部が４個の場合には、第一の弾接部を設ける位置と第二の弾接部を設ける位置とのなす中心角、及び第二の弾接部を設ける位置と第三の弾接部を設ける位置とのなす中心角、及び第三の弾接部を設ける位置と第四の弾接部を設ける位置とのなす中心角の値が共に９７．５°となる。
【００１０】
また、クリック係合部の数を２４個（ｎ＝２４）としたときは、弾接部が２個の場合には、第一の弾接部を設ける位置と第二の弾接部を設ける位置とのなす中心角の値が１８７．５°となり、弾接部が３個の場合には、第一の弾接部を設ける位置と第二の弾接部を設ける位置とのなす中心角の値、及び第二の弾接部を設ける位置と第三の弾接部を設ける位置とのなす中心角の値が共に１２５°となり、弾接部が４個の場合には、第一の弾接部を設ける位置と第二の弾接部を設ける位置とのなす中心角、及び第二の弾接部を設ける位置と第三の弾接部を設ける位置とのなす中心角、及び第三の弾接部を設ける位置と第四の弾接部を設ける位置とのなす中心角の値が共に９３．７５°となる。なお、上記のクリック係合部の数は一例であり、本発明はこれらに限定されるものではない。
【発明の効果】
【００１１】
請求項１に記載の発明によれば、クリック係合部の数に比べてクリック数を増加することができる。またクリック数が増加してもクリック係合部の数を増加する必要がないので、隣り合うクリック係合部の間隔が小さくならず、各クリック感覚が確実に生じるようになる。そしてこれらのことから、クリック機構の小型化が図れる。
【００１２】
請求項２に記載の発明によれば、第一の部材と第二の部材とを相対的に一回転した際に、弾接部の数にクリック係合部の数を乗じた数のクリック数が得られるクリック機構を構成することができるとともに、クリック感覚が等間隔に生じるクリック機構を構成することができる。また各弾接部がなす中心角が同一又は近い値なので、回転する際の第一の部材と第二の部材のクリックを発生させる係合バランスが回転位置で異なることはなく、良好な均一のクリック感を生じさせる。
【発明を実施するための最良の形態】
【００１３】
以下、本発明の実施の形態例を図面に基づいて説明する。図１は本発明の一実施の形態にかかる回転式スイッチ１を示す概略断面図であり、図２は回転式スイッチ１の分解斜視図である。両図に示すように回転式スイッチ１は、ケースを兼用するスイッチ基板６０上面に設けた凹状の収納部６１内に、摺動子５０をその下面に固定した第二の部材（以下「つまみ」という）３０の下部を収納し、その上に第一の部材（以下「クリックバネ部材」という）２０とカバー１０とを被せ、これら各部材を一体化して構成されている。以下、各構成部品について説明する。
【００１４】
カバー１０は金属板製であり、中央につまみ３０が貫通する穴１１を設け、穴１１の周囲に筒状の軸支部１２を立設し、またカバー１０の上面に下記するスイッチ基板６０の突起６７を貫通する穴１３を設けている。カバー１０の一対の対向する両側辺の中央部分からは下方向に向かって折り曲げられた足１５が設けられ、また足１５の両側からも下方向に向かって折り曲げられた足１４が設けられている。足１４はスイッチ基板６０のケース６９を抱え込んで一体に固定するためのものであり、足１５は図示しない基板等に回転式スイッチ１を固定するためのものである。
【００１５】
図３はクリックバネ部材２０を示す図であり、同図（ａ）はクリックバネ部材２０の平面図、同図（ｂ）は側面図である。クリックバネ部材２０は弾性金属板製であり、カバー１０の外形寸法とほぼ同じ外径寸法に形成された枠状の固定部２１の内部にリング状のクリックバネ２２を形成して構成されている。固定部２１には下記するスイッチ基板６０の突起６７を貫通させるための穴２５が開けられている。固定部２１とクリックバネ２２とは、対向する位置に設けた一対の接続部２３，２３によって接続されている。クリックバネ２２は接続部２３，２３を挟む両側の円弧状部２２ｂ，２２ｂがそれぞれ根元部分２２ａから斜め下方向に折り曲げられ、それぞれの円弧状部２２ｂ，２２ｂの途中に下記するつまみ３０の凹凸部３５に当接する第一の弾接部２４ａ，第二の弾接部２４ｂ（図３（ａ）では斜線で示す）を設けて構成されている。この図３に示すクリックバネ部材２０は弾接部２４ａ，２４ｂを２つ設けたものである。弾接部２４ａ，２４ｂは、円弧状部２２ｂ，２２ｂの一部を下方に向けてＵ字型に曲げて構成されている。弾接部２４ａ，２４ｂを設ける相対的位置は、いずれか一方の弾接部２４ａが下記するつまみ３０に設けたクリック係合部（以下この実施の形態では「溝部」という）３３のいずれかに係合してから次の溝部３３に係合するまでの非係合状態の間に、他の弾接部２４ｂが溝部３３のいずれかに係合する位置としており、さらにクリック感覚が等間隔に生じるようにするため、一方の弾接部２４ａが溝部３３のいずれかに係合してから次の溝部３３に係合する間の非係合状態の中央位置で、他の弾接部２４ｂが溝部３３のいずれかに係合するように設置している。
【００１６】
クリックバネ２２上に第一の弾接部２４ａと第二の弾接部２４ｂとを設ける位置をさらに具体的に説明する。即ちこの実施の形態では、つまみ３０に設けた溝部３３の数をｎとしたとき、図３（ａ）に示すように、一方の弾接部２４ａに１８０°対向する位置からさらに（１８０／ｎ）°進んだ位置、即ち一方の弾接部２４ａを設けた位置から見た中心角が（１８０＋１８０／ｎ）°である位置に他方の弾接部２４ｂを設置している。したがって、溝部３３の数が例えば１２個（ｎ＝１２）であれば、弾接部２４ａに１８０°対向する位置からさらに１５°進んだ位置、即ち弾接部２４ａと弾接部２４ｂとのなす中心角が１９５°となる位置に第二の弾接部２４ｂを設置し、溝部３３の数が２４個（ｎ＝２４）であれば、弾接部２４ａに１８０°対向する位置からさらに７．５°進んだ位置、即ち弾接部２４ａと弾接部２４ｂとのなす中心角が１８７．５°となる位置に第二の弾接部２４ｂを設置する。弾接部をこの位置に設置することで、つまみ３０を一回転する間に、弾接部の数に溝部３３の数ｎを乗じた数のクリック数が得られ、且つクリック感覚が等間隔に生じることとなる。
【００１７】
次に、図４に示すように弾接部の数を３個及び４個にした場合における各弾接部を設置する位置を説明する。まず、同図（ａ）の弾接部の数を３個にした場合は、第一の弾接部２６ａを設けた位置から見た中心角が（１２０＋１２０／ｎ）°である位置に第二の弾接部２６ｂを設置し、第二の弾接部２６ｂを設けた位置から見た中心角が同じく（１２０＋１２０／ｎ）°である位置に第三の弾接部２６ｃを設置している。したがって、溝部３３の数が１２個（ｎ＝１２）であれば、弾接部２６ａと弾接部２６ｂ、及び弾接部２６ｂと弾接部２６ｃとのなす中心角がいずれも１３０°となる位置にこれらを設置し、溝部３３の数が２４個（ｎ＝２４）であれば、弾接部２６ａと弾接部２６ｂ、及び弾接部２６ｂと弾接部２６ｃとのなす中心角がいずれも１２５°となる位置にこれらを設置する。
【００１８】
また、図４（ｂ）の弾接部を４個にした場合は、第一の弾接部２８ａと第二の弾接部２８ｂとのなす中心角、及び第二の弾接部２８ｂと第三の弾接部２８ｃとのなす中心角、及び第三の弾接部２８ｃと第四の弾接部２８ｄとのなす中心角の値がいずれも（９０＋９０／ｎ）°である位置にそれぞれの弾接部を設置する。この場合、溝部３３の数が１２個（ｎ＝１２）であれば前記した中心角の値がいずれも９７．５°になる位置に、溝部３３の数が２４個（ｎ＝２４）であれば前記した中心角の値がいずれも９３．７５°になる位置に各弾接部を設置する。
【００１９】
次に図５（Ｉ）は溝部３３が１２個の場合のつまみ３０を示す図、図５（II）は溝部３３が２４個の場合のつまみ３０を示す図であり、それぞれ（ａ）は側面図、（ｂ）は平面図である。同図及び図１，図２に示すように、つまみ３０は合成樹脂を略円柱状に成形した軸部３７の下面に、軸部３７よりもその外径を大きくした円板状の回転型物３１を一体に接続して構成されている。軸部３７の外径はカバー１０の穴１１に回動自在に挿入されて軸支される寸法に形成され、また軸部３７の下部には、その上面が穴１１の下面に当接する当接部３４が穴１１の径よりも若干大きい径で設けられている。回転型物３１の下面中央には下記するスイッチ基板６０の穴６４に挿入されて、つまみ３０を軸支する軸突起３６が設けられている。回転型物３１のリング状の上面には、上記クリックバネ部材２０の弾接部２４（２６，２８）が係合する凹状の溝部（クリック係合部）３３と凸状の凸部３２とを交互に形成した凹凸部３５が設けられている。各溝部３３は隣り合う溝部３３を中心軸から見た場合、各溝部３３間がなす各中心角が互いに等しくなる同一円周上の位置に設けられている。そしてこの凹凸部３５と前記弾接部２４とによって、つまみ３０を回転した際にクリック感覚を生じさせるクリック機構を構成している。
【００２０】
次に図２に戻り、摺動子５０は弾性金属板製であり、下記するスイッチ基板６０のコモンスイッチ接点６８ａに摺接するように摺動子５０の外周側で少し下方に折り曲げられたブラシ５２が、円周方向に沿ってそれぞれ１２０°間隔で３本設けられており、ブラシ５２の先端には摺接接点５２ａが設けられている。また、下記するスイッチ基板６０のオンオフスイッチ接点６３ａに摺接するブラシ５３が、ブラシ５２の内周側に、ブラシ５２と同じく少し下方に折り曲げられて１２０°間隔で３本設けられており、ブラシ５３の先端は摺接接点５３ａとなっている。また、摺動子５０にはつまみ３０の下面に設けた突起３８（図５参照）が係合する穴５１が設けられている。
【００２１】
スイッチ基板６０はその中央につまみ３０の回転型物３１を収納する円形の凹部である収納部６１を設け、この収納部６１の内底面６１ａに、一枚のコモンスイッチ接点板６８の表面（コモンスイッチ接点６８ａ）と、二枚のオンオフスイッチ接点板６３，６３の表面（オンオフスイッチ接点６３ａ,６３ａ）とを露出して構成されている。ここで金属板からなるコモンスイッチ接点板６８及びオンオフスイッチ接点板６３，６３にはそれぞれ一本ずつ金属板製の端子板６５が接続されており、コモンスイッチ接点板６８及びオンオフスイッチ接点板６３，６３をモールド樹脂製のケース６９内にインサート成形した際に、三本の端子板６５はケース６９の側面から突出させる。またケース６０の内底面６１ａ中央にはつまみ３０の下面に設けた軸突起３６を回転自在に挿入する穴６４が設けられ、またケース６９の上面にはカバー１０とクリックバネ部材２０を位置決めする突起６７が設けられている。なおオンオフスイッチ接点６３ａ，６３ａはコモンスイッチ接点６８ａの内側の円周上に設置され、これによってオンオフスイッチ接点６３ａ,６３ａは、摺動子５０の内側に設けたブラシ５３の摺接接点５３ａに摺接し、コモンスイッチ接点６８ａは外側に設けたブラシ５２の摺接接点５２ａに摺接する。
【００２２】
次に回転式スイッチ１の組立方法を説明する。図２においてまず予めつまみ３０の回転型物３１の下面に摺動子５０を取り付ける。その際つまみ３０の突起３８（図１参照）を摺動子５０の穴５１に挿入し突起３８の先端を熱カシメして固定する。次に、スイッチ基板６０の収納部６１内に摺動子５０を取り付けたつまみ３０の回転型物３１を回動自在に収納し、その上にクリックバネ部材２０とカバー１０とを載置する。その際スイッチ基板６０の突起６７をクリックバネ部材２０の穴２５とカバー１０の穴１３に挿入して位置決めし、またつまみ３０の軸部３７をカバー１０の穴１１から上方に回動自在に突出する。そしてカバー１０の足１４をスイッチ基板６０の下面に折り曲げれば、回転式スイッチ１が完成する。
【００２３】
以上のようにして組み立てられた回転式スイッチ１は、図１に示すように軸突起３６がスイッチ基板６０の穴６４により軸支され、且つ軸部３７がカバー１０の軸支部１２により軸支されていることにより、つまみ３０と摺動子５０とが回転可能な状態で支持されている。そして、クリックバネ２２に設けた二つの弾接部２４ａ，２４ｂが、何れもつまみ３０の凹凸部３５に当接（弾接）している。
【００２４】
次に回転式スイッチ１の動作を説明する。つまみ３０を回転するとこれと一体に摺動子５０が回転し、摺動子５０の摺接接点５２ａがオンオフスイッチ接点６３ａ上を摺接すると同時に摺動子５０の摺接接点５３ａがコモンスイッチ接点６８ａ上を摺接することで、コモンスイッチ接点６８ａとオンオフスイッチ接点６３ａ間で所望のオンオフ出力が得られ、三本の端子板６５からこのオンオフ出力が外部に取り出される。同時につまみ３０が回転することでクリックバネ部材２０の弾接部２４ａ，２４ｂがつまみ３０の凹凸部３５上を弾接しながら移動する。これにより弾接部２４ａ，２４ｂが溝部３３に係合・離脱を繰り返すことでクリック感覚を生じる。
【００２５】
弾接部２４ａ，２４ｂの溝部３３への係合・離脱の動作を詳細に説明する。図６はクリックバネ２２に２個の弾接部２４ａ，２４ｂを図３に示す配置で設け、つまみ３０の溝部３３を１２個とした回転式スイッチ１のつまみ３０を回転したときの、弾接部２４ａ，２４ｂとつまみ３０の溝部３３との位置関係を示す図である。つまみ３０を回転する前の状態では、同図（ａ）に示すように、第一の弾接部２４ａが溝部３３ａに係合しており、第二の弾接部２４ｂは溝部３３ｃと３３ｄとの中間部に位置している。そして、その状態からつまみ３０を同図の矢印Ａで示す方向に回転すると、同図（ｂ）に示すように弾接部２４ａは溝部３３ａから抜け出して、次の溝部３３ｂとの間の凸部３２ａに乗り上げて、非係合状態となる。その状態からさらにつまみ３０を矢印Ａ方向に回転させると、同図（ｃ）に示すように、弾接部２４ａが溝部３３ａと３３ｂの中間部に来たときに、第二の弾接部２４ｂが溝部３３ｄに係合し、クリック感覚を生じる。さらにつまみ３０を矢印Ａ方向に回転すると、同図（ｄ）に示すように、弾接部２４ｂが溝部３３ｄから抜け出して、溝部３３ｄと次の溝部３３ｅとの間の凸部３２ｂに乗り上げて、弾接部２４ｂが非係合状態となる。さらにつまみ３０を矢印Ａ方向に回転すると、同図（ｅ）に示すように弾接部２４ｂが溝部３３ｄと３３ｅの中間部に来たときに、弾接部２４ａが次の溝部３３ｂに係合し、このとき再びクリック感覚を生じる。このように、弾接部２４ａ，２４ｂのいずれかが、溝部３３のいずれかに係合してから次の溝部３３に係合するまでの非係合状態の間に、他のいずれかの弾接部２４ａ，２４ｂが溝部３３のいずれかに係合することで、各弾接部２４ａ，２４ｂの係合状態が等間隔に順番に訪れることになり、クリック数が溝部３１の数の二倍に増加することとなる。
【００２６】
即ち本実施の形態は、図３に示す位置に弾接部２４ａ，２４ｂを配置したことで、弾接部２４ａの溝部３３への係合と弾接部２４ｂの溝部３３への係合とが交互で、且つこれらの係合が等しい間隔で生じる。これは、図４（ａ）に示す位置に三つの弾接部２６を配置し、或いは図４（ｂ）に示す位置に四つの弾接部２８を配置したときも同様であり、図４（ａ）に示す場合は３個の弾接部２６ａ，２６ｂ，２６ｃが順番に等間隔にいずれかの溝部３３に係合してゆき、図４（ｂ）に示す場合は４個の弾接部２８ａ，２８ｂ，２８ｃ，２８ｄがいずれかの溝部３３に順番に等間隔に係合していく。
【００２７】
以上本発明の実施の形態例を説明したが、本発明は上記実施の形態例に限定されるものではなく、特許請求の範囲、及び明細書と図面に記載された技術的思想の範囲内において以下に示すような種々の変形が可能である。例えば上記実施の形態では、クリック係合部が溝部である場合を説明したが、クリック係合部は溝部に限られず、穴や凸部等の他の形状であってもよく、要は弾接部が係合し、クリック感覚を生じるものであればよい。
【００２８】
また等間隔にクリック感覚が生じなくても良いのであれば、クリックバネ２２上に弾接部を設ける位置は、上記図３及び図４に示す位置でなくてもよく、いずれかの弾接部が溝部に係合してから次の溝部に係合するまでの非係合状態の間に、他の弾接部がいずれかの溝部に係合する位置であればよい。
【００２９】
また、つまみに設けた溝部は等間隔に配置するものに限られない。即ち隣り合う溝部のなす中心角が総て等しいものでなくともよい。また、溝部及び弾接部は円周上に配置したものに限られず、いずれかの弾接部が溝部に係合してから次の溝部に係合するまでの非係合状態の間に、他の弾接部がいずれかの溝部に係合する位置にあるという関係を満たせば、直線、或いは他の曲線に沿って配置してもよい。また上記実施の形態では第一の部材であるクリックバネ部材２０を固定側とし、第二の部材であるつまみ３０を回転側としたが、第一の部材を回転側、第二の部材を固定側としてもよく、要は第一の部材と第二の部材が相対的に移動するクリック機構であれば良い。
【図面の簡単な説明】
【００３０】
【図１】本発明の一実施の形態例にかかる回転式スイッチ１を示す概略断面図である。
【図２】回転式スイッチ１の分解斜視図である。
【図３】２つの弾接部を具備したクリックバネ部材２０を示す図であり、同図（ａ）はクリックバネ部材２０の平面図、同図（ｂ）はクリックバネ部材２０の側面図である。
【図４】他のクリックバネ２２を示す図であり、図４（ａ）は弾接部を３つ設けたクリックバネ２２を示す図であり、図４（ｂ）は弾接部を４つ設けたクリックバネ２２を示す図である。
【図５】図５（Ｉ）は、溝部３３が１２個の場合のつまみ３０を示す図、図５（II）は溝部３３が２４個の場合のつまみ３０を示す図であり、それぞれ（ａ）は側面図、（ｂ）は平面図である。
【図６】つまみ３０を回転したときの、クリックバネ２２の弾接部とつまみ３０の溝部との位置関係を説明する図である。
【図７】従来のクリック機構を示す図である。
【符号の説明】
【００３１】
１      回転式スイッチ
１０    カバー
２０    クリックバネ部材（第一の部材）
２２    クリックバネ
２４    弾接部
２６    弾接部
２８    弾接部
３０    つまみ（第二の部材）
３１    回転型物
３２    凸部
３３    溝部（クリック係合部）
３５    凹凸部
５０    摺動子
５２    ブラシ
５２ａ  摺接接点
５３    ブラシ
５３ａ  摺接接点
６０    スイッチ基板
６３    オンオフスイッチ接点板
６３ａ  オンオフスイッチ接点
６８    コモンスイッチ接点板
６８ａ  コモンスイッチ接点
【図１】
2005078844.tif 000003
【図２】
2005078844.tif 000004
【図３】
2005078844.tif 000005
【図４】
2005078844.tif 000006
【図５】
2005078844.tif 000007
【図６】
2005078844.tif 000008
【図７】
2005078844.tif 000009